(57)【特許請求の範囲】
【請求項１】
脚の上部に設けられた受台と、該受台の上部に位置され、その前方位置で受台に軸着された座フレームと、前記受台の後部に位置される背フレームと、該背フレームの下部に固着されて前方に向けて伸び背フレーム寄りの位置が受台の後方位置に枢着されるアームと、このアームの前方位置を座フレームに連結するリンクとを具備し、
前記受台にはアームの移動をガイドする誘導用長穴を有する
ことを特徴とする椅子。
【請求項２】
前記座フレームとアームとの間には互いに離隔する方向に付勢する補助弾性体を有する請求項１記載の椅子。
【請求項３】
脚の上部に設けられた受台と、該受台の上部に位置され、その前方位置で受台に軸着された座フレームと、前記受台の後部に位置される背フレームと、該背フレームの下部に固着されて前方に向けて伸び背フレーム寄りの位置が受台の後方位置に枢着されるアームと、このアームの前方位置に一端が固着され他端が座フレームに遊着されて両者を連結する板バネとを具備し、
前記受台にはアームの移動をガイドする誘導用長穴を有する
ことを特徴とする椅子。
【請求項４】
前記アームによる座フレームの押上げ点が着座者の大腿部の大転子直下に位置するようにした請求項１〜３のいずれか１項記載の椅子。
【発明の詳細な説明】
【０００１】
【発明の属する技術分野】
本発明は事務用椅子に係り、特に背もたれの傾動時、体重に応じた姿勢を保つて安定した着座ができるようにした椅子に関する。
【０００２】
【従来の技術】
従来から事務用に用いられている椅子は背部に背もたれが設けられていて、前後に傾動することができるようになっている。
【０００３】
その背もたれの傾動時における弾性の付与には一般にコイルバネが用いられていて、背もたれが後傾するとそのバネが伸ばされ、前傾するとバネは元の状態に復帰するようになっている。その場合着座者の体重に応じてそのバネの強さを調節するものであるが、着座者の体重差が大きいと背もたれの傾斜角度が異なるため、例えば特公平５−６２５２７号公報に開示されているように着座者の体重に応じて背もたれの後傾に対する抵抗力が自動的に変化して常に安定した状態に着座することができるようにしたものが提供されている。
【０００４】
【発明が解決しようとする課題】
しかして上記の構造では、背もたれの後傾時、着座者の体重に応じて座フレームを前傾させて安定した着座をさせるため、座フレームと背もたれフレームとの連結にコイルバネを用いているが、この場合体重差のある個々の着座者に対してすべてを満足するコイルバネを選択することは極めて困難であり、かつコイルバネの長さが長くなるとスペースの問題もあり、設置に困難性を伴うものであった。その結果バネ感の強い座り心地の悪い椅子になってしまうことが多かった。
【０００５】
一方、背もたれに体重を掛けたとき、それに応じて座部の後部が上昇するとともに座部が前方へ移動するようにした椅子（実開平２−７１３４５号公報）があるが、これによると背もたれに体重を掛けた際に身体の大腿部の関節による背中の後傾度と椅子の背もたれの後傾がマッチせず、そのため楽な姿勢で座ることができないとともに、背もたれに寄り掛ったとき座部が前方へ移動するため着座者の大腿部に圧迫感を与えたり、あるいはズボンやスカートにしわを生じさせ、さらにはＹシャツがズボンからずり出るなどの問題がある。
【０００６】
本発明はこれに鑑み、バネ力に依存することなく体重に応じた背もたれの抵抗力が得られ、かつ着座者の身体に圧迫感や衣服の乱れを生じることがなく、しかも構成部品が少く簡単な構成により安定した着座状態を得ることができる椅子を提供することを目的とする。
【０００７】
【課題を解決するための手段】
上記目的を達成するため本発明は、脚の上部に設けられた受台と、該受台の上部に位置され、その前方位置で受台に軸着された座フレームと、前記受台の後部に位置される背フレームと、該背フレームの下部に固着されて前方に向けて伸び背フレーム寄りの位置が受台の後方位置に枢着されるアームと、このアームの前方位置を座フレームに連結するリンクとを具備し、前記受台にはアームの移動をガイドする誘導用長穴を有することを特徴とする。また、前記座フレームとアームとの間に互いに離隔する方向に付勢する補助弾性体を設けたことを特徴とする。
【０００８】
また、脚の上部に設けられた受台と、該受台の上部に位置され、その前方位置で受台に軸着された座フレームと、前記受台の後部に位置される背フレームと、該背フレームの下部に固着されて前方に向けて伸び背フレーム寄りの位置が受台の後方位置に枢着されるアームと、このアームの前方位置に一端が固着され他端が座フレームに遊着されて両者を連結する板バネとを具備し、前記受台にはアームの移動をガイドする誘導用長穴を有することを特徴とする。また、前記アームが座アームを押上げる位置を特定したことを特徴とする。
【０００９】
上記構成によれば、請求項１，３とも着座者が座カバーを介し座フレームに着座してさらに背もたれに寄り掛かると、背フレームが後傾するとともにアームが回動して、リンクまたは板バネを介して座フレームの後部を上昇させる。その背フレームの後傾は座フレームに座る人の体重が重ければ抵抗力が大きくなり、体重が軽ければ抵抗力が小さくなるように着座者の体重に応じて変化することになり、着座者に最も適した座り心地となる。また座フレームは前後方向へは移動しないので、背フレームが後傾しても衣服を乱さず、身体への圧迫感も生じない。さらに請求項５によれば、上記の着座者に対する圧迫感をはじめ衣服の乱れを一層防止し、座り心地を一段とよくすることができる。
【００１０】
【発明の実施の形態】
以下、本発明の実施形態例を図面を参照して説明する。
図１乃至図５に示す形態例は、図示しない脚の上部に設けられた受台１と、該受台１の上部に位置され、その前方位置で受台１に軸着された座フレーム２と、前記受台１の後部に位置される背フレーム３と、該背フレーム３の下部に固着されて前方に向けて伸び、背フレーム３寄りの位置が受台１の後方位置に枢着されるアーム４と、このアーム４の前方位置を座フレーム２に連結するリンク５とを備えている。
【００１１】
そして前記受台１にはアーム４の移動をガイドする誘導用長穴６（図２示）が設けられ、また、前記座フレーム２とアーム４との間には互いに離隔する方向に付勢する圧縮バネまたはゴム等からなる補助弾性体７が設けられている。
【００１２】
受台１の左右の上部前端と、座フレーム２の前方の下部に固設された左右の取付板８，８とはそれぞれ一対のピン９，９によりその位置で回動可能に枢着されている。
【００１３】
背フレーム３に固着された一対のアーム４，４の背フレーム３寄りの位置と受台１の左右の後端とはピン１０，１０により回動可能に連結されている。また、前記アーム４の前方位置と座フレーム２の後方の下部に設けた左右の取付板１１との間には前記リンク５が連結されており、このリンク５と、取付板１１とはピン１２により、アーム４とはピン１３によりそれぞれ連結されている。そしてこのリンク５のピン１３は受台１に設けた前述の誘導用長穴６内を移動できるようになっている。
【００１４】
上記リンク５により座フレーム２に連結される位置は、座フレーム２上のクッション１４上に座る着座者の大腿部の大転子の直下位置とされており、着座者の上半身が直上方へ押上げられるようになっている。
【００１５】
図中、１５は受台１を上下動させるガススプリングを示す。
【００１６】
つぎに作用を説明する。
図１の実線図示および図４は着座者のいない場合、または着座者がいても背フレームに寄り掛かっていない場合の椅子の座フレーム２と背フレーム３の姿勢を示しており、この状態においては着座者が座フレーム２に腰を下ろしたままなので座フレーム２の姿勢に変化はない。しかし着座者が背フレーム３に寄り掛かると、椅子は図１の鎖線図示および図５のように後傾姿勢となるとともに座フレーム２の後端が上昇する。
【００１７】
すなわち背フレーム３が後に傾くと、アーム４がピン１０を支点として上昇する。このときアーム４のピン１３は受台１に設けてある誘導用長穴６内をガイドとして上方に移動する。その結果、アーム４にリンク５を介して連結されている座フレーム２の後部は受台１に軸支されたピン９を中心として上昇することになり、この姿勢は着座者の体重に応じて変化する。つまり体重の重い人は背フレーム３が倒れるための抵抗力が大きくなり、反対に体重の軽い人の場合は背フレーム３か倒れるための抵抗力が小さくなり、体重に応じた背フレーム３の動きとなる。したがって、どのような着座者の体重にも見合った背もたれの抵抗力が得られ、楽な着座姿勢とすることができる。
【００１８】
本発明の請求項３に係る実施形態例は、図６および図７に示している。図１乃至図５に示した実施例と同一部品についてはこれと同一符号を付して詳細な説明は省略し、異なる部品についてのみ説明する。
【００１９】
すなわち、図示しない脚の上部に設けられた受台１と、該受台１の上部に位置され、その前方位置で受台１に軸着された座フレーム２と、前記受台１の後部に位置される背フレーム３と、該背フレーム３の下部に固着されて前方に向けて伸び、背フレーム３寄りの位置が受台１の後方位置に枢着されるアーム４と、このアーム４の前方位置に一端が固着され他端が座フレーム２に遊着されて両者を連結する板バネ１６とを備えている。
【００２０】
前記アーム４の上面には側面形状が山形状をなす板バネ取付座１７が固着され、この取付座１７の上面には板バネ１６の一側の取付部分１６ａがビス等の締結手段により固着されている。
【００２１】
板バネ１６は細長い四角状のバネ板材で構成され、両側の平らな取付部分１６ａ，１６ｂを除いて中央部分１６ｃが約３〜４度の傾斜面に形成されており、したがって一側の取付部分１６ａは他側の取付部分１６ｂに対して傾斜分の高さの差を有している。他側の前記取付部分１６ｂには長孔１６ｄ，１６ｄがあり、この長孔１６ｄ，１６ｄに挿通するビス１８，１８により座フレーム２に対し遊動的に取付けられ、一側の取付部分１６ａよりも高い位置となるように取付けられている。そして両取付部分１６ａ，１６ｂと中央部分１６ｃとの境界部分はそれぞれ屈曲部となっている。
【００２２】
つぎに上記例の作用を説明する。
図６の状態から図７に示すように背フレーム３が後に傾くと、アーム４はピン１０を支点として上昇する。その結果、アーム４に設けられた取付座１７に固着されている板バネ１６の一側部分１６ａは持ち上げられ、中央部分１６ｃは屈曲部で上向きに屈曲するよう変形するので板バネ１６は上向きとなるとともにその取付け長さも縮むことになる。
【００２３】
これにより座フレーム２の後部は受台１に軸支されたピン１３が長穴６内で移動して上昇姿勢とになるが、この姿勢は図５の場合と同様に着座者の体重に応じて変化する。したがってどんな着座者でもその体重に見合った安定した姿勢に着座することができる。
【００２４】
【発明の効果】
本発明は以上説明したように、リンクまたは板バネを用い座フレームに加わる体重に応じて背フレームの傾き時の抵抗力が変る構造としたから、従来のようにコイルバネを用いた場合のバネ定数の選択や設置場所の困難さを解決することができるとともに、着座者の体重を感知して、その体重に応じた背反力が得られるため座フレーム後部の上昇度や背フレームの後傾度はその人に適した安定した着座姿勢とすることができる。また、背もたれが後傾しても座フレームは前後方向に移動することがなく、その位置で後部が上下動するので、着座者の衣服を乱したり、大腿部を圧迫するような不都合がない。さらに従来のように調整可能なバネ等を用いる必要がないので構造が頗る簡単になり、受台内のスペースを大きく必要とせず、デザイン上もすっきりした椅子とすることができる。
【図面の簡単な説明】
【図１】本発明の一実施形態例を示す構成図。
【図２】本発明の要部の側面図。
【図３】図１の平面を示し、上半分は上面図、下半分は下面図。
【図４】図１の背フレームの無負荷時の状態を示す断面図。
【図５】図１の傾動時の状態を示す断面図。
【図６】本発明の他の実施形態例を示す無負荷時の要部の断面図。
【図７】図６の背フレームの傾動時の状態を示す断面図。
【符号の説明】
１  受台
２  座フレーム
３  背フレーム
４  アーム
５  リンク
６  誘導用長穴
７  補助弾性体
１６  板バネ
１６ａ，１６ｂ  取付部分
【図１】
0003678799.tif 000002
【図２】
0003678799.tif 000003
【図３】
0003678799.tif 000004
【図４】
0003678799.tif 000005
【図５】
0003678799.tif 000006
【図６】
0003678799.tif 000007
【図７】
0003678799.tif 000008